(57)【要約】【課題】枠体状に形成され光学フィルタとリアケースとを保持するフロントケースへの金型投資を不要としてコストの大幅な低減をはかる。【解決手段】フロントケース４を上辺部５と、同上辺部５を上下対称に配置した下辺部５と、右辺部６及び同右辺部６を左右対称に配置した左辺部６及びこれらを連結する連結部７とに分割して構成する一方、前記上辺部５あるいは前記右辺部６を、押出し成型により形成された素材を所定の寸法に切断して形成することにより、個別の金型製作を不要として大幅なコスト低減をはかる。また、導電性部材を前記上辺部あるいは右辺部と一体に押出し加工することにより、機器単体としてのコストを低減する。【選択図】　図１
2004012560.tif 000002
【特許請求の範囲】
【請求項１】
前面が開放され略箱体状に形成されたリアケースと、同リアケースの内壁前面に固定された平面ディスプレイパネルと、同平面ディスプレイパネルの前面に設けられ、光透過性と導電性とを備えた光学フィルタと、同光学フィルタの周縁と前記リアケースの周縁部とを保持する枠体状に形成されたフロントケースとからなる平面ディスプレイ装置において、
前記フロントケースを、上辺部と同上辺部を上下対称に配置した下辺部及び右辺部と同右辺部を左右対称に配置した左辺部及びこれらの四隅を連結する連結部とで構成する一方、断面形状が一様に形成された長尺状の素材を所定の寸法に切断することにより前記上辺部と前記下辺部及び前記右辺部と前記左辺部とを夫々形成してなることを特徴とする平面ディスプレイ装置。
【請求項２】
前記上辺部と前記下辺部及び前記右辺部と前記左辺部を形成する長尺状の素材が、押出し成型により形成されてなることを特徴とする請求項１に記載の平面ディスプレイ装置。
【請求項３】
前記上辺部と前記下辺部及び前記右辺部と前記左辺部の断面が、夫々前面側と後面側とに離間した二股状に形成される一方、離間部に、断面コ字状に形成された導電性部材が設けられてなることを特徴とする請求項１に記載の平面ディスプレイ装置。
【請求項４】
前記導電性部材が、炭素あるいは金属フィラーを配合し導電性を有する軟質系の樹脂材あるいはゴム材からなり、前記上辺部と前記下辺部及び前記右辺部と前記左辺部と一体となって押出し成型されてなることを特徴とする請求項１または請求項２に記載の平面ディスプレイ装置。
【請求項５】
前記導電性部材の内面に、相対向して突部あるいは湾曲部を形成してなることを特徴とする請求項３または請求項４に記載の平面ディスプレイ装置。
【発明の詳細な説明】
【０００１】
【発明の属する技術分野】
本発明は、プラズマディスプレイパネルあるいは液晶パネルを利用した平面ディスプレイ装置に関わり、より詳細には、表示画面を保持する枠体状に形成されたホルダのコストを低減する一方、電磁遮蔽効果の向上したディスプレイ装置を提供することを目的とする。
【０００２】
【従来の技術】
平面ディスプレイ装置の一つとして、従来のプラズマディスプレイ装置は、例えば図４の要部断面図で示すように、鋼板からなるリアケース３１と、同リアケース３１の内壁前面に固定されるプラズマディスプレイパネル３２と、同プラズマディスプレイパネル３２の前面に設けられ、表示される画像のコントラストの改善あるいは機器内部の保護を行う光学フィルタ３０と、同光学フィルタ３０の周縁を保持する一方、樹脂材からなり前記リアケースと螺子３５により結合される枠体状に形成されたフロントケース３３とにより構成されている。
【０００３】
前記フロントケース３３には、前記光学フィルタ３０の裏面周縁に当接し、前記フロントケース３３の前面枠とこれを挟持して保持するとともに、前記リアケース３１と前記光学フィルタ３０とを電気的に接合して導通を行う板金からなる導通部材３４が設けられている。これにより、前記プラズマディスプレイパネル３２から発生した電磁波ノイズは、前記光学フィルタ３０から前記導通部材３４を経て前記リアケース３１と順次ループ状に伝搬され、外部への漏洩が極力防止されるようになっている。
【０００４】
上記に概略したような構成部品によりプラズマディスプレイ装置は構成されているが、近年、画面サイズの大型化に伴い、前記フロントケース３３の外形寸法も大型化が要求されてきている。雄型と雌型とからなる金型を使用し、射出成型により形成される前記フロントケース３３は、金型が大型化されるに連れ同金型への投資金額が増大し、プラズマディスプレイ装置としてのコスト負担が増す一方、他の機器に影響しないよう電磁波ノイズの外部への漏洩を極力低減することが求められてきており、これらへの対応が望まれていた。
【０００５】
【発明が解決しようとする課題】
本発明は上記問題点に鑑み、金型への投資を削減して機器としてのコスト低減をはかる一方、電磁波ノイズの外部への漏洩を極力防止することのできる平面ディスプレイ装置を提供することを目的とする。
【０００６】
【課題を解決するための手段】
本発明は上記課題を解決するため、前面が開放され略箱体状に形成されたリアケースと、同リアケースの内壁前面に固定された平面ディスプレイパネルと、同平面ディスプレイパネルの前面に設けられ、光透過性と導電性とを備えた光学フィルタと、同光学フィルタの周縁と前記リアケースの周縁部とを保持する枠体状に形成されたフロントケースとからなる平面ディスプレイ装置において、
前記フロントケースを、上辺部と同上辺部を上下対称に配置した下辺部及び右辺部と同右辺部を左右対称に配置した左辺部及びこれらの四隅を連結する連結部とで構成する一方、断面形状が一様に形成された長尺状の素材を所定の寸法に切断することにより前記上辺部と前記下辺部及び前記右辺部と前記左辺部とを夫々形成してなる構成となっている。
【０００７】
また、前記上辺部と前記下辺部及び前記右辺部と前記左辺部を形成する長尺状の素材が、押出し成型により形成されてなる構成となっている。
【０００８】
また、前記上辺部と前記下辺部及び前記右辺部と前記左辺部の断面が、夫々前面側と後面側とに離間した二股状に形成される一方、離間部に、断面コ字状に形成された導電性部材が設けられてなる構成となっている。
【０００９】
また、前記導電性部材が、炭素あるいは金属フィラーを配合し導電性を有する軟質系の樹脂材あるいはゴム材からなり、前記上辺部と前記下辺部及び前記右辺部と前記左辺部と一体となって押出し成型されてなる構成となっている。
【００１０】
また、前記導電性部材の内面に、相対向して突部あるいは湾曲部を形成してなる構成となっている。
【００１１】
【発明の実施の形態】
以下、本発明の実施の形態を、添付図面に基づいた実施例として詳細に説明する。
図１は本発明による平面ディスプレイ装置の正面図及び側断面図であり、図２は要部断面図である。また、図３は他の実施例を示す要部断面図である。
本発明による、平面ディスプレイ装置は、図１の側断面図で示すように、鋼板からなり前面が開放された略箱体状のリアケース２と、同リアケース２の内壁前面に固定されたプラズマディスプレイパネル１と、同プラズマディスプレイパネル１の前面に設けられ、導電性と光透過性を備えて表示される画像のコントラストの改善を行うとともに機器内部を保護する光学フィルタ３と、同光学フィルタ３の周縁と前記リアケース２の周縁部とを保持する枠体状に形成されたフロントケース４とからなっている。
【００１２】
枠体状に形成された前記フロントケース４は、図１の正面図で示すように、上辺部５及び同上辺部５を上下に対称に配置した下辺部５と、右辺部６及び同右辺部６を左右対称に配置した左辺部６と、これらを四隅で連結する連結部７とで構成され、前記上辺部５及び前記右辺部６は、押出し成型により形成されている。押出し成型は、ＡＢＳ材（アクリルニトリルブタジエンスチレン）またはＰＰ材（ポリプロピレン）または塩化ビニル等の樹脂材を比較的低価な金型により、所望の断面形状を維持しながら長尺状に連続的に成型する成型方法であり、前記上辺部５と前記下辺部５及び前記右辺部６と前記左辺部６は長尺状に形成された素材を、夫々所定の寸法に切断されることにより形成されている。
【００１３】
前記連結部７は、樹脂材による成型品あるいは板金材からなり、前記上辺部５と前記下辺部５及び前記右辺部６と前記左辺部６とに対応する端面に、これらが嵌入される嵌入孔を夫々穿設しており、嵌入された後、図示はしていないが、同連結部の裏面から挿入された螺子により、嵌入された端部を夫々固定するようになっている。
【００１４】
前記フロントケース４を前記上辺部５と前記下辺部５及び前記右辺部６と前記左辺部６及び前記連結部７とで構成し、押出し成型により形成された素材を所定の寸法に切断して前記上辺部５または前記右辺部６を設けることにより、大型の射出成型用の金型が不要となり大幅なコスト低減をはかれるようになっている。また切断加工により所望の寸法の前記上辺部５または前記右辺部６を形成することにより、画面サイズ寸法が異なる機種においても迅速に対応することができるようになっている。
【００１５】
また、前記上辺部５と前記下辺部５及び前記右辺部６と前記左辺部６の断面は、図２で示すように、二股状に形成され後面側が前記リアケース２に沿い傾斜面となって延出されている。前面側と後面側との離間部には、弾性を備えたコ字状の導電性部材８が設けられており、前記光学フィルタ３の周縁部と前記リアケース２の周縁部とは重畳しながら、前記導電性部材８に挟着されるようになっている。重畳しながら導電性部材８に挟着されることにより、前記光学フィルタ３と前記リアケース２との間の導電性、導通性は従来に比して大きく改善され、これにより外部への電磁波ノイズの漏洩は極力低減できるようになっている。また前記導電性部材８の内面には、相対向して突部８ａ及び突部８ｂが設けられており、前記光学フィルタ３と前記リアケース２とに押圧力を加えるとともに、接触圧を高めるようになっている。
【００１６】
前記導電性部材８は、炭素あるいは銅繊維、黄銅繊維、ステンレス繊維等の金属フィラーを配合して導電性を備えた、例えばパリプロピレンからなる軟質の樹脂材あるいはゴム材から形成することができ、これは前記フロントケース４の前記上辺部５あるいは前記右辺部６の素材を押出し成型する際、これらと重畳して一体に形成することができるようになっている。これにより素材単価の低減もはかれるようになっている。
【００１７】
次に、前記上辺部５あるいは前記右辺部６の断面形状における他の実施例について説明する。図３（Ａ）で示す実施例は、導電性部材９の前後両側に内側に湾曲した接触部９ａ及び９ｂを設け、前記光学フィルタ３と前記リアケース２に対し押圧力と接触圧を高めるようになっている。図３（Ｂ）で示す実施例は、上辺部あるいは右辺部１１の断面を略Ｖ字状に形成する一方、リアケース１１の前縁を内側に折り返し前記光学フィルタ３との接触面積を増加させるとともに、螺子１３により前記上辺部あるいは右辺部１１を前記リアケース１０に螺着させ、強度の向上をはかるようになっている。
【００１８】
図３（Ｃ）で示す実施例は、前記光学フィルタ３とリアケース１４とを挟着する挟着部を夫々形成した導電性部材１６を、上辺部あるいは右辺部１５に設け導電性を向上させるようになっている。また、図３（Ｄ）で示す実施例は、螺子１３によりリアケース１７を導電性部材１９に押圧し、導電性を高めるようになっている。
【００１９】
【発明の効果】
以上説明したように、本発明によると、フロントケースを上辺部と下辺部及び右辺部と左辺部とに分割し、これらを押出し成型により形成された素材を所定の寸法に切断して形成することにより、個別の金型製作を不要として大幅なコスト低減がはかれる一方、導電性部材を前記上辺部あるいは右辺部と一体に押出し加工することにより、機器単体としてのコストも低減できる平面ディスプレイ装置とすることができる。
【図面の簡単な説明】
【図１】本発明による平面ディスプレイ装置を示す正面図及び側断面図である。
【図２】本発明による平面ディスプレイ装置の要部断面図である。
【図３】他の実施例の要部断面図である。
【図４】従来例による平面ディスプレイ装置の要部断面図である。
【符号の説明】
１　プラズマディスプレイパネル
２　リアケース
３　光学フィルタ
４　フロントケース
５　上辺部、下辺部
６　右辺部、左辺部
７　連結部
８　導電性部材
８ａ　突部
８ｂ　突部
９　導電性部材
９ａ　湾曲部
９ｂ　湾曲部
１０　リアケース
１１　上辺部あるいは右辺部
１２　導電性部材
１３　螺子
１４　リアケース
１５　上辺部あるいは右辺部
１６　導電性部材
１７　リアケース
１８　上辺部あるいは右辺部
１９　導電性部材
【図１】
2004012560.tif 000003
【図２】
2004012560.tif 000004
【図３】
2004012560.tif 000005
【図４】
2004012560.tif 000006